(57)【要約】【課題】ショートカット機能における登録を促し、容易にショートカット機能における登録を実行することが出来る操作装置及び画像形成装置を提供することを目的とする。【解決手段】操作装置が、各種画像を表示する表示部と、操作指示を受け付ける操作部と、設定を行う為の設定画面を表示部に表示しているときに、所定の設定値への設定指示を前記操作部が受け付けると、ショートカット登録ボタンを表示部に表示させ、前記ショートカット登録ボタンの押下によるショートカット登録指示を操作部が受け付けると、前記所定の設定値に設定された前記設定画面のショートカット登録を実行する制御部を具備する。【選択図】図１
2010034963.tif 000002
【特許請求の範囲】
【請求項１】
各種画像を表示する表示部と、
操作指示を受け付ける操作部と、
設定を行う為の設定画面を表示部に表示しているときに、所定の設定値への設定指示を前記操作部が受け付けると、ショートカット登録ボタンを表示部に表示させ、前記ショートカット登録ボタンの押下によるショートカット登録指示を操作部が受け付けると、前記所定の設定値に設定された前記設定画面のショートカット登録を実行する制御部を具備することを特徴とする操作装置。
【請求項２】
前記制御部は、デフォルト設定値以外の設定値への設定指示を前記操作部が受け付けると、前記ショートカット登録ボタンを前記表示部に表示させることを特徴とする請求項１に記載の操作装置。
【請求項３】
前記制御部は、所定の設定値への設定指示を操作部が受け付けると共に当該設定指示を受け付けた前記操作部の操作キーが長押下された場合に、前記ショートカット登録ボタンを前記表示部に表示させることを特徴とする請求項１または２に記載の操作装置。
【請求項４】
前記制御部は、所定の設定値への設定指示を操作部が受け付けると、当該設定値を使用した処理が所定の回数以上実行されている場合に、前記ショートカット登録ボタンを前記表示部に表示させることを特徴とする請求項１〜３のいずれか一項に記載の操作装置。
【請求項５】
個人認証すると操作が有効になる操作装置であって、
制御部は、所定の設定値への設定指示を操作部が受け付けると、当該設定値を使用した処理が認証された個人によって所定の回数以上実行されている場合に、前記ショートカット登録ボタンを前記表示部に表示させることを特徴とする請求項４に記載の操作装置。
【請求項６】
請求項１〜５のいずれかに記載の操作装置を具備することを特徴とする画像形成装置。
【発明の詳細な説明】
【技術分野】
【０００１】
本発明は、操作装置及び画像形成装置に関する。
【背景技術】
【０００２】
近年、複合機、複写機及びプリンタの画像形成装置では、画像形成に対して多種多様な設定を行うことが出来るようになっており、多種多様な設定によってカスタマイズされた画像形成結果をユーザに提供することが可能になっている。しかし、このような画像形成装置では、画像形成結果に対する多種多様な設定が可能になったことによって、設定操作が大変複雑になってしまい、このことが操作性の面でユーザに負担を強いる結果になっていた。そして、現在、このような課題を解決する為に、ショートカット機能が搭載された画像形成装置が普及し始めている。このショートカット機能とは、ユーザが、手間のかかる設定、使用頻度の高い設定及び各種設定画面を予め登録しておくことが出来る機能である。このショートカット機能において登録された設定及び設定画面は、所定キーの押下等の簡単な操作によって、これから実行する画像形成における設定及び設定画面として再現される。
【０００３】
そして、このような予め設定を登録することが出来るものとして、下記特許文献１には、操作性が優れたファクシミリ装置の操作装置が開示されている。このファクシミリ装置における操作装置では、ファクシミリ装置に電源が投入されると、表示部上に、基本画面を表示する。操作装置の基本画面とは、ユーザが任意に機能を割り付けることが出来るお好みキーをする画面であり、このお好みキーには、ユーザが使用頻度の高い機能を割り付けることができる。そして、このお好みキーを操作することによって、割り付けられた機能を少ない操作数で実行することが出来る。
【特許文献１】特開平４−３３９４５４号公報
【発明の開示】
【発明が解決しようとする課題】
【０００４】
ところで、上記従来技術では、ショートカット機能によって、手間のかかる設定、使用頻度の高い設定及び各種設定画面を予め登録し、簡単な操作によって、登録された設定及び設定画面が、画像形成の設定及び設定画面として再現される。しかしながら、上記従来技術では、一旦登録してしまえば、次からの画像形成における設定を簡単な操作で実行することが出来るが、ショートカット機能おける登録操作をはじめて行うユーザにとって、この登録操作は不慣れな操作であり、画面に表示される操作手順または説明書に書かれた手順に従って考えながら操作を進めていかなければならない。その為、ユーザは、その操作に慣れるまで、その操作が大きな負担になってしまう。また、ユーザ全員が、このショートカット機能を知っているとは限らず、このショートカット機能を知らないユーザは、画像形成を実行する度に、同じ設定であっても、毎回、煩雑な設定操作を行わなければならない。
【０００５】
本発明は、上述した事情に鑑みてなされたものであり、ショートカット機能における登録を促し、容易にショートカット機能における登録を実行することが出来る操作装置及び画像形成装置を提供することを目的とする。
【課題を解決するための手段】
【０００６】
上記目的を達成するために、本発明では、操作装置に係る第１の解決手段として、各種画像を表示する表示部と、操作指示を受け付ける操作部と、設定を行う為の設定画面を表示部に表示しているときに、所定の設定値への設定指示を前記操作部が受け付けると、ショートカット登録ボタンを表示させ、前記ショートカット登録ボタンの押下によるショートカット登録指示を操作部が受け付けると、前記所定の設定値に設定された前記設定画面のショートカット登録を実行する制御部を具備するという手段を採用する。
【０００７】
本発明では、操作装置に係る第２の解決手段として、上記第１の解決手段において、前記制御部は、デフォルト設定値以外の設定値への設定指示を前記操作部が受け付けると、前記ショートカット登録ボタンを前記表示部に表示させるという手段を採用する。
【０００８】
本発明では、操作装置に係る第３の解決手段として、上記第１または第２の解決手段において、前記制御部は、所定の設定値への設定指示を操作部が受け付けると共に当該設定指示を受け付けた前記操作部の操作キーが長押下された場合に、前記ショートカット登録ボタンを前記表示部に表示させるという手段を採用する。
【０００９】
本発明では、操作装置に係る第４の解決手段として、上記第１〜第３のいずれかの解決手段において、前記制御部は、所定の設定値への設定指示を操作部が受け付けると、当該設定値を使用した処理が所定の回数以上実行されている場合に、前記ショートカット登録ボタンを前記表示部に表示させるという手段を採用する。
【００１０】
本発明では、操作装置に係る第５の解決手段として、上記第４の解決手段において、個人認証すると操作が有効になる操作装置であって、制御部は、所定の設定値への設定指示を操作部が受け付けると、当該設定値を使用した処理が認証された個人によって所定の回数以上実行されている場合に、前記ショートカット登録ボタンを前記表示部に表示させるという手段を採用する。
【００１１】
また、本発明では、画像形成装置に係る第１の解決手段として、上記第１〜第５のいずれかの解決手段を採用する操作装置を具備するという手段を採用する。
【発明の効果】
【００１２】
本発明によれば、操作装置が、各種画像を表示する表示部と、操作指示を受け付ける操作部と、設定を行う為の設定画面を表示部に表示しているときに、所定の設定値への設定指示を前記操作部が受け付けると、ショートカット登録ボタンを表示させ、前記ショートカット登録ボタンの押下によるショートカット登録指示を操作部が受け付けると、前記所定の設定値に設定された前記設定画面のショートカット登録を実行する制御部を具備する。その為、ユーザは、操作装置の表示部が表示するショートカット登録ボタンによって、容易にショートカット機能における登録を実行することが出来る。さらに、制御部が、操作部が所定の設定値への設定指示を受け付けると、ショートカット登録ボタンを表示部に表示させることによって、ショートカット機能を知らないユーザに登録を促すと共に容易に登録を行わせることが出来る。
【発明を実施するための最良の形態】
【００１３】
以下、図面を参照して、本発明の一実施形態について説明する。本発明の画像形成装置の一つである複写機能、印刷機能、ファクシミリ送信／受信機能を併せ持つ複合機に関する。
まず、複合機Ａの機能構成について、図１を参照して、説明する。図１は本実施形態に係る複合機Ａの機能ブロック図である。
複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０及び登録データ記憶部１１を備えている。
【００１４】
ＣＰＵ１は、ＲＯＭ２に記憶されている制御プログラム、画像データ記憶部７に記憶されている原稿画像データ、印刷画像データまたはファクシミリ画像データ、通信Ｉ／Ｆ部９を介してクライアントコンピュータ（図示略）または公衆網（図示略）から入力される各種指示及び操作表示部１０から入力される操作指示に基づいて複合機Ａの全体動作を制御する。なお、このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
【００１５】
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
【００１６】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００１７】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
画像データ記憶部７は、例えばフラッシュメモリであり、ＣＰＵ１の指示の下、原稿画像データ、通信Ｉ／Ｆ部９がローカルエリアネットワークＢを介してクライアントコンピュータ（図示略）から受信する印刷画像データ及び通信Ｉ／Ｆ部９がローカルエリアネットワークＢを介して公衆網（図示略）から受信するファクシミリ画像データを記憶する。
【００１８】
画像形成部８は、ＣＰＵ１の制御の下、画像データ記憶部７に記憶されている原稿画像データ、印刷画像データまたはファクシミリ画像データに基づいて、用紙搬送部５から搬送される印刷用紙にトナーによって形成される画像形成画像を転写し、定着ローラによって当該画像形成画像の定着処理を行う。
通信Ｉ／Ｆ部９は、ローカルエリアネットワークＢを介してクライアントコンピュータ（図示略）及び公衆網（図示略）等に接続し、このクライアントコンピュータ及び公衆網Ｅとの間で各種信号の送受信を行う。
【００１９】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。
登録データ記憶部１１は、例えばフラッシュメモリであり、ショートカット登録された設定画面及び当該設定画面において設定されている設定値を記憶する。
【００２０】
次に、上記構成の本実施形態に係る複合機Ａの動作について図２を参照して詳しく説明する。図２は、本実施形態に係る複合機Ａの動作を示すフローチャートである。
まず、複合機Ａによって原稿を複写しようとするユーザは、複写におけるデフォルト設定値を所望の設定値に変更する為に、タッチパネル１０ａが表示する各種設定画面表示ボタンを押下することによって、所望の設定値に変更する為の設定画面をタッチパネル１０ａに表示させる。
ＣＰＵ１は、基本画面の「原稿セット向き」ボタンの押下によって原稿セット向き設定画面表示指示をタッチパネル１０ａが受け付けると、原稿セット向き設定画面をタッチパネル１０ａに表示させる（ステップＳ１）。なお、上記基本画面の詳細については、後述する。
【００２１】
ＣＰＵ１は、原稿セット向き設定画面が表示する「奥天」ボタンまたは「横天」ボタンの押下によってデフォルト設定値と異なる設定値の設定指示をタッチパネル１０ａが受け付けたか否か判定し（ステップＳ２）、ステップＳ２において『ＮＯ』と判定した場合には、すなわちデフォルト設定値と異なる設定値の設定指示をタッチパネル１０ａが受け付けていない場合には、デフォルト設定値と異なる設定値の設定指示をタッチパネル１０ａが受け付けるまで待機し、ステップＳ２において『ＹＥＳ』と判定した場合には、すなわちデフォルト設定値と異なる設定値の設定指示をタッチパネル１０ａが受け付けた場合には、ショートカット登録入口画面をタッチパネルに表示させる（ステップＳ３）。
【００２２】
上記原稿セット向き設定画面及びショートカット登録入口画面の詳細について、図３を参照して、説明する。図３は、本実施形態に係る複合機Ａのタッチパネル１０ａが表示する原稿セット向き設定画面及びショートカット登録入口画面を示す図である。
図３の（ａ）は、ショートカット登録入口画面が表示される前の原稿セット向き設定画面を示し、図３の（ｂ）は、ショートカット登録入口画面が表示された原稿セット向き設定画面を示す。なお、原稿セット向き設定のデフォルト設定値は、「奥天」とする。
タッチパネル１０ａは、ステップＳ１において、「原稿セット向き」ボタンの押下によって原稿セット向き設定画面表示指示を受け付けると、ＣＰＵ１の指示の下、図３の（ａ）に示す原稿セット向き設定画面を表示する。
【００２３】
原稿セット向き設定画面には、設定値として「奥天」を設定する為の「奥天」ボタンと、設定値として「横天」を設定する為の「横天」ボタンが設けられている。タッチパネル１０ａに表示された直後の原稿セット向き設定画面では、デフォルト設定値である「奥天」の「奥天」ボタンは設定されていることを示す反転表示がおこなわれており、また「横天」ボタンは設定されていないことを示す通常表示が行われている。さらに、原稿セット向き設定画面には、「ＯＫ」ボタン及び「Ｃａｎｃｅｌ」ボタンが設けられている。この「ＯＫ」ボタンが押下されると原稿向きセット設定の設定を完了して原稿セット向き設定画面が閉じられ、「Ｃａｎｃｅｌ」ボタンが押下されると原稿セット向き設定の設定値の変更を無効にして原稿セット向き設定画面が閉じられる。
【００２４】
そして、タッチパネル１０ａは、図３の（ａ）に示す原稿セット向き設定画面において、「横天」ボタンがユーザによって押下されると、図３の（ｂ）に示すように「横天」ボタンを反転表示すると共に吹き出し状のショートカット登録入口画面を表示する。そして、このショートカット登録入口画面には、「登録」ボタン及び「閉じる」ボタンが表示されている。
【００２５】
ＣＰＵ１は、ステップＳ３の後に、ショートカット登録入口画面の「登録」ボタンの押下によるショートカット登録指示をタッチパネル１０ａが受け付けたか否か判定し（ステップＳ４）、ステップＳ４において『ＹＥＳ』と判定した場合には、すなわちショートカット登録指示をタッチパネル１０ａが受け付けた場合には、設定値「横天」と「横天」ボタンを反転表示する原稿セット向き設定画面とをショートカット登録データとして登録データ記憶部１１に記憶させる共に基本画面へタッチパネル１０ａに遷移させ、当該ショートカット登録データに基づいて「横天」が設定された状態の原稿セット向き設定画面のショートカットボタンを基本画面へタッチパネル１０ａに表示させ（ステップＳ５）、ステップＳ１に移行する。
【００２６】
ショートカットボタンを表示する基本画面の詳細について、図４を参照して、説明する。図４は、本実施形態に係る複合機Ａのタッチパネル１０ａが表示するショートカットボタンを表示する基本画面を示す図である。基本画面とは、複合機Ａの複写におけるトップ画面であり、基本的な設定を行うことが出来ると共に各種設定画面の設定画面表示ボタンを表示する画面である。そして、基本画面では、図４に示すように、右端の領域にショートカットボタンを表示する。
【００２７】
ＣＰＵ１は、ステップＳ４において『ＮＯ』と判定した場合には、すなわちショートカット登録指示をタッチパネル１０ａが受け付けていない場合には、ショートカット登録入口画面の「閉じる」ボタンの押下によるショートカット登録入口画面の画面閉指示をタッチパネル１０ａが受け付けたか否か判定し（ステップＳ６）、ステップＳ６において『ＹＥＳ』と判定した場合には、すなわち画面閉指示をタッチパネル１０ａが受け付けた場合には、ショートカット登録入口画面を閉じて（ステップＳ７）、ステップＳ２へ移行し、ステップＳ６において『ＮＯ』と判定した場合には、すなわち画面閉指示をタッチパネル１０ａが受け付けていない場合には、原稿セット向き設定画面における「ＯＫ」ボタンの押下による設定完了指示及び「Ｃａｎｃｅｌ」ボタンの押下による設定無効指示のいずれをタッチパネル１０ａが受け付けたか判定する（ステップＳ８）。
【００２８】
ＣＰＵ１は、ステップＳ８において「ＯＫ」ボタンの押下による設定完了指示をタッチパネル１０ａが受け付けたと判定した場合には、原稿セット向き設定の設定を完了し、ショートカット登録入口画面及び原稿セット向き設定画面を閉じて基本画面へタッチパネル１０ａに遷移させて（ステップＳ９）、ステップＳ１に移行する。また、ＣＰＵ１は、ステップＳ８において「Ｃａｎｃｅｌ」ボタンの押下による設定無効指示をタッチパネル１０ａが受け付けたと判定した場合には、原稿セット向き設定の設定値の設定の変更を無効にして、ショートカット登録入口画面及び原稿セット向き設定画面を閉じて基本画面へタッチパネル１０ａに遷移させて（ステップＳ１０）、ステップＳ１に移行する。
【００２９】
次に、上記図２の動作の変形例について、図５を参照して説明する。図５は、本実施形態に係る複合機Ａの動作の変形例を示すフローチャートである。
なお、図５におけるステップＳ２５〜Ｓ３１は、図２に示す上記ステップＳ４〜Ｓ１０と同じ動作である為、説明を省略する。
ＣＰＵ１は、基本画面の「原稿セット向き」ボタンの押下によって原稿セット向き設定画面表示指示をタッチパネル１０ａが受け付けると、原稿セット向き設定画面をタッチパネル１０ａに表示させる（ステップＳ２１）。
【００３０】
ＣＰＵ１は、タッチパネル１０ａにおける原稿セット向き設定画面の「奥天」ボタンまたは「横天」ボタンが押下されると、デフォルト設定値と異なる設定値の設定指示をタッチパネル１０ａが受け付けたかつ当該設定値を使用して所定の回数以上の複写が複合機Ａにおいて実行されているか否か判定し（ステップＳ２２）、ステップＳ２２において『ＮＯ』と判定した場合には、すなわち押下されたボタンがデフォルト設定値のボタンまたはデフォルト設定値と異なる設定値を設定するボタンが押下されたとしても当該設定値を使用して所定の回数以上の複写が実行されていない場合には、タッチパネル１０ａにおける原稿セット向き設定画面の「奥天」ボタンまたは「横天」ボタンが長押下されたか否か判定する（ステップＳ２３）。
【００３１】
なお、ステップＳ２２において、ＣＰＵ１が、デフォルト設定値ではない設定値を使用して所定の回数以上の複写が実行されているか否か判定をおこなっているが、この判定は、複合機Ａにおいて複写が実行される毎に、ＣＰＵ１が複写に使用された設定値の使用回数をＲＯＭ２等の不揮発メモリに記憶させ、この記憶されたデータに基づいて判定が行われる。
【００３２】
ＣＰＵ１は、ステップＳ２３において『ＮＯ』と判定した場合には、すなわち「奥天」ボタンまたは「横天」ボタンが長押下されていない場合には、ステップＳ２２に移行し、ステップＳ２３において『ＹＥＳ』と判定した場合には、すなわち「奥天」ボタンまたは「横天」ボタンが長押下された場合には、長押下された「奥天」ボタンまたは「横天」ボタンの付近にショートカット登録入口画面をタッチパネルに表示させる（ステップＳ２４）。また、ＣＰＵ１は、ステップＳ２２において『ＹＥＳ』と判定した場合には、すなわち押下されたボタンがデフォルト設定値と異なる設定値を設定するボタンでありかつ当該設定値を使用して所定の回数以上の複写が実行されている場合に、ステップＳ２４においてショートカット登録入口画面をタッチパネルに表示させる。
【００３３】
以上のように、本実施形態に係る複合機Ａにおいて、ＣＰＵ１は、デフォルト設定値と異なる設定値の設定指示をタッチパネル１０ａが受け付ける、タッチパネル１０ａにおいて押下された設定ボタンがデフォルト設定値と異なる設定値を設定するボタンでありかつ当該設定値を使用して所定の回数以上の複写が実行されている、またはタッチパネル１０ａにおける設定ボタンが長押下されることによって、ショートカット登録入口画面を表示する。そして、複合機Ａは、このショートカット登録入口画面を表示することによって、ショートカット登録を自然にユーザに促し、かつユーザは容易にショートカット登録を実行することが出来る。
【００３４】
以上、本発明の一実施形態について説明したが、本発明は上記実施形態に限定されることなく、例えば以下のような変形が考えられる。
（１）上記実施形態では、ＣＰＵ１が、上記ステップＳ２２において設定された設定値を使用して所定の回数以上の複写が複合機Ａにおいて実行されているか否か判定し、この判定結果に基づいてショートカット登録入口画面を表示しているが、本発明はこれに限定されない。
例えば、複合機Ａに個人識別用カードのカードリーダを設けることによって、複合機Ａにおける画像形成処理を個人別に管理できるようにして、ＣＰＵ１が、複写に使用された設定値の使用回数を個人別に不揮発メモリに記憶させ、この個人別の複写の設定値の使用回数に基づいて、個人別に所定の設定値を使用して所定の回数以上の複写が実行されているか否か判定し、個人が当該設定値を使用して所定の回数以上の複写を実行している場合に、ショートカット登録入口画面を表示するようにしてもよい。
【図面の簡単な説明】
【００３５】
【図１】本発明の一実施形態に係る複合機Ａの機能ブロック図である。
【図２】本発明の一実施形態に係る複合機Ａの動作を示すフローチャート図である。
【図３】本発明の一実施形態に係る複合機Ａ複合機Ａのタッチパネル１０ａが表示する原稿セット向き設定画面及びショートカット登録入口画面を示す図である。
【図４】本発明の一実施形態に係る複合機Ａのタッチパネル１０ａが表示するショートカットボタンを表示する基本画面を示す図である。
【図５】本発明の一実施形態に係る複合機Ａの動作の変形例を示すフローチャートである。
【符号の説明】
【００３６】
Ａ…複合機、Ｂ…ローカルエリアネットワーク、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１１…登録データ記憶部
【図１】
2010034963.tif 000003
【図２】
2010034963.tif 000004
【図３】
2010034963.tif 000005
【図４】
2010034963.tif 000006
【図５】
2010034963.tif 000007